(57)【特許請求の範囲】
【請求項１】
メモリカードを開口部から着脱可能に収容する樹脂製のコネクタハウジングが回路基板に取り付けられるようになっており、前記コネクタハウジングの前記開口部が、前記コネクタハウジングにヒンジを介して開閉可能に支持されたカバーで閉じられ、この状態で前記カバーが前記コネクタハウジングの表面に沿ってスライドされて使用可能になる構造のヒンジカバー式メモリカードコネクタであって、
前記カバーが金属で構成され、前記カバーにはこのカバーが閉じられた時に前記コネクタハウジング内に挿入される操作子が該カバーから切り起こされて突設され、
前記コネクタハウジングには前記操作子が挿入される位置に隣接して可動接触片とこの可動接触片に待機時に接触している固定接触片とからなるスイッチが設けられ、前記可動接触片は前記回路基板のアース部に接続され、前記固定接触片は前記回路基板のプラス側に接続され、前記スイッチが閉から開になった時に前記カバーの検出回路が働くようになっているとともに、前記カバーのスライド時に前記可動接触片が前記操作子で操作されて前記固定接触片から離れて前記スイッチが開になる構造になっており、
前記ハウジングには、前記スイッチよりヒンジ側に近い位置に、前記回路基板のアース部に接続するアース端子が設けられ、
該アース端子が、前記カバーがヒンジを中心にした前記コネクタハウジングに閉じられる方向の回動途中であって、該カバーのコネクタハウジングに対する閉鎖前に該カバーに接触するようにしたことを特徴とするヒンジカバー式メモリカードコネクタ。
【請求項２】
カバーのコネクタハウジングに対する閉鎖前に該カバーに接触する前記アース端子は、前記コネクタハウジングは、その隅部が回路基板側に押さえ金具によって押さえられており、
該押さえ金具に設けた弾性接触片によって前記アース端子が構成されており、
該アース端子を構成する弾性接触片が前記カバーの側縁を直角に折り曲げたて立ち上げた形状の側板部に接触することによって、カバーとアース端子がカバーのコネクタハウジングに対する閉鎖前に接触するようにした請求項１に記載のヒンジカバー式メモリカードコネクタ。
【発明の詳細な説明】
【技術分野】
【０００１】
本発明は、メモリカードを接続対象物として収容するコネクタハウジングの開口部が、このコネクタハウジングにヒンジを介して開閉可能に支持されたカバーで閉じられた状態で、このカバーがコネクタハウジングの表面に沿ってスライドされて使用可能になる構造のヒンジカバー式メモリカードコネクタに関する。
【背景技術】
【０００２】
従来のこの種のヒンジカバー式メモリカードコネクタでは、メモリカードの各端子に接触させる複数の信号コンタクトを組み込んだコネクタハウジングが樹脂製、カバーも樹脂製であった。コネクタハウジングには常開の１対の固定接触片が設けられ、カバーにはこのカバーが閉じられてスライドされたとき１対の固定接触片を短絡接続する可動接触片が設けられていた。これら１対の固定接触片と可動接触片とでスイッチを構成し、このスイッチがオンとなった時にカバーの検出回路が働き、各信号コンタクトで接続されているメモリカードに通電がなされるようになっていた（例えば、特許文献１参照。）。
【先行技術文献】
【特許文献】
【０００３】
【特許文献１】特開２００３−０８６３０２号公報
【発明の開示】
【発明が解決しようとする課題】
【０００４】
しかしながら、このような構造のヒンジカバー式メモリカードコネクタでは、帯電した使用者の手がカバーに触れたとき、静電気が可動接触片を介して１対の固定接触片に伝わりメモリカードを電気的に破壊してしまう問題点があった。
【０００５】
本発明の目的は、帯電した使用者の手がカバーに触れても、静電気でメモリカードが電気的に破壊されるのを防止できるヒンジカバー式メモリカードコネクタを提供することにある。
【課題を解決するための手段】
【０００６】
上記の目的を達成する本発明の構成を説明すると、下記のとおりである。
【０００７】
請求項１に記載の発明は、メモリカードを開口部から着脱可能に収容する樹脂製のコネクタハウジングが回路基板に取り付けられるようになっており、前記コネクタハウジングの前記開口部が、前記コネクタハウジングにヒンジを介して開閉可能に支持されたカバーで閉じられ、この状態で前記カバーが前記コネクタハウジングの表面に沿ってスライドされて使用可能になる構造のヒンジカバー式メモリカードコネクタであって、
前記カバーが金属で構成され、前記カバーにはこのカバーが閉じられた時に前記コネクタハウジング内に挿入される操作子が該カバーから切り起こされて突設され、
前記コネクタハウジングには前記操作子が挿入される位置に隣接して可動接触片とこの可動接触片に待機時に接触している固定接触片とからなるスイッチが設けられ、前記可動接触片は前記回路基板のアース部に接続され、前記固定接触片は前記回路基板のプラス側に接続され、前記スイッチが閉から開になった時に前記カバーの検出回路が働くようになっているとともに、前記カバーのスライド時に前記可動接触片が前記操作子で操作されて前記固定接触片から離れて前記スイッチが開になる構造になっており、
前記ハウジングには、前記スイッチよりヒンジ側に近い位置に、前記回路基板のアース部に接続するアース端子が設けられ、
該アース端子が、前記カバーがヒンジを中心にした前記コネクタハウジングに閉じられる方向の回動途中であって、該カバーのコネクタハウジングに対する閉鎖前に該カバーに接触するようにしたことを特徴とするヒンジカバー式メモリカードコネクタにある。
【０００８】
請求項２に記載の発明の特徴は、請求項１の構成に加え、カバーのコネクタハウジングに対する閉鎖前に該カバーに接触する前記アース端子は、前記コネクタハウジングは、その隅部が回路基板側に押さえ金具によって押さえられており、
該押さえ金具に設けた弾性接触片によって前記アース端子が構成されており、
該アース端子を構成する弾性接触片が前記カバーの側縁を直角に折り曲げたて立ち上げた形状の側板部に接触することによって、カバーとアース端子がカバーのコネクタハウジングに対する閉鎖前に接触するようにしたことにある。
【発明の効果】
【０００９】
また本発明に係るヒンジカバー式メモリカードコネクタでは、金属製のカバーにこのカバーが閉じられた時にコネクタハウジング内に挿入される金属製の操作子を設け、コネクタハウジングには操作子が挿入される位置に隣接して可動接触片とこの可動接触片に待機時に接触している固定接触片とからなるスイッチを設け、可動接触片は回路基板のアース部に接続し、固定接触片は回路のプラス側に接続し、スイッチが閉から開になった時にカバーの検出回路が働くようにし、カバーのスライド時に可動接触片を操作子で操作して固定接触片から離れてスイッチが開になる構造になっているので、ヒンジでカバーをコネクタハウジングに倒してスライドさせることによりカバーの検出回路を働かせることができる。特に、カバーがヒンジを中心に回動してコネクタハウジングに閉じられる過程でカバーに接触してカバーをアースに接続するアース端子をコネクタハウジングに設けたので、カバーを閉じる過程でカバーをアースに接続することができ、帯電した使用者の手がカバーに触れても、静電気が操作子で可動接触片から固定接触片を経てメモリカードに流れてメモリカードが電気的に破壊されるのを防止することができる。
操作子をカバーから切り起こして形成すると、簡単に低コストで操作子を構成することができる。
【図面の簡単な説明】
【００１０】
【図１】本発明に係るヒンジカバー式メモリカードコネクタの実施例の斜視図である。
【図２】同ヒンジカバー式メモリカードコネクタでカバーを開いた状態の斜視図である。
【図３】同ヒンジカバー式メモリカードコネクタの分解斜視図である。
【発明を実施するための最良の形態】
【００１１】
以下、本発明に係るヒンジカバー式メモリカードコネクタを実施するための最良の形態を、図面に示した実施例を参照して詳細に説明する。
【００１２】
本例のヒンジカバー式メモリカードコネクタは、樹脂製でモールドにより形成されているコネクタハウジング１と、このコネクタハウジング１の開口部２を閉じるステンレススチールの如き金属製のカバー３とを備えている。コネクタハウジング１は、図示しない回路基板上に搭載され、電気的・機械的に接続されている。
【００１３】
メモリカード４は、開口部２からコネクタハウジング１の凹部５に着脱可能に収容されるようになっている。
【００１４】
コネクタハウジング１には、複数の信号コンタクト６が並列に組み込まれている。各信号コンタクト６は、弾性金属で形成されていて、その自由端側に接点部６ａがそれぞれ凹部５内に突出するように湾曲して形成されている。各信号コンタクト６の接続端子部６ｂは、コネクタハウジング１の底部に存在していて、図示しない回路基板の各端子部に半田付け接続されるようになっている。
カバー３には、各接点部６ａ及び各接続端子部６ｂに対応してそれぞれ窓７及び８が開けられている。
【００１５】
カバー３のコネクタハウジング１に対する回動の支点側の両側には、アーム９ａ及び９ｂが突設されている。これらアーム９ａ及び９ｂの内面には、回転中心軸１０ａ及び１０ｂが突設されている。コネクタハウジング１には、カバー３のアーム９ａ及び９ｂに対応してアーム１１ａ及び１１ｂが設けられている。これらアーム１１ａ及び１１ｂの回転中心軸１０ａ及び１０ｂが嵌る位置にそれぞれ長孔１２ａ及び１２ｂ（１２ｂは図示せず）が設けられている。これらアーム９ａ及び９ｂ、回転中心軸１０ａ及び１０ｂ、アーム１１ａ及び１１ｂ、長孔１２ａ及び１２ｂにて、カバー３の回転中心軸１０ａ及び１０ｂがコネクタハウジング１の長孔１２ａ及び１２ｂで回転することによりそれぞれヒンジ１３ａ及び１３ｂが構成されている。また、長孔１２ａ及び１２ｂにより、カバー３が閉じられた状態でこのカバー３がコネクタハウジング１の表面に沿ってスライドできるようになっている。
【００１６】
また、カバー３の両側縁には、その両側縁を直角に折り曲げたて立ち上げた形状の側板部３ａが形成されており、その下縁にカバー３と平行な向きに折り曲げた係止片３ｂが形成されている。一方コネクタハウジング１の両側面には、前記係止片３ｂが、カバー３閉鎖方向回動時に嵌まり合う凹部１ａが形成されており、この凹部１ａと前記係止片３ｂとによって、コネクタハウジング１に対するカバー３の閉鎖動作時の位置関係を規制しているものであり、回転中心軸１０ａが長孔１２ａのアーム先端方向側（ハウジング後端側）に位置しているときにカバー３がコネクタハウジング１の表面に施蓋できるようになっている。
【００１７】
そして、凹部１ａ内に係止片３ｂが嵌まり合い、カバー３が施蓋状態になったとき係止片３ｂがコネクタハウジング１の底面下に突出し、カバー３がヒンジ１３ａ，１３ｂとは反対側の端部側（ハウジング前端側）に移動できるようになっている。
【００１８】
カバー３には、凹部１ａに係止片３ｂが整合した状態でこのカバー３が閉じられた時にコネクタハウジング１内に挿入される金属製の操作子１４が突設されている。この操作子１４は、カバー３から切り起こして形成されている。
【００１９】
コネクタハウジング１には、操作子１４が挿入される位置に溝１５が設けられている。コネクタハウジング１の溝１５には、操作子１４が挿入される位置に隣接して可動接触片１６とこの可動接触片１６に待機時に接触している固定接触片１７とからなるスイッチ１８が設けられている。可動接触片１６はコンタクト１９の自由端側に形成され、コンタクト１９の基部には回路基板のアース端子に接続されるアース端子部１９ａが設けられている。
【００２０】
アース端子部１９ａは、コネクタハウジング１の底部側に存在し、回路基板のアース端子に接続されるようになっている。固定接触片１７の端子部１７ａは、回路基板のプラス側に電気的に接続されている。固定接触片１７は、押さえ部１７ｂを備えていて、この押さえ部１７ｂでコネクタハウジング１を回路基板側に押さえている。
【００２１】
カバー３がヒンジ１３ａ及び１３ｂを中心に回転してコネクタハウジング１の開口部２を閉じた状態、即ちカバー３がコネクタハウジング１に対して後端側に位置している状態では、操作子１４は可動接触片１６に接触しない状態になっている。カバー３をハウジング前端側にスライドすると、操作子１４が可動接触片１６に接触するとともに、該可動接触子１５を固定接触片１７から離反させる方向に動作させるようになっている。
【００２２】
そして、カバー３のハウジング前端側へのスライド時に、可動接触片１６が操作子１４で操作されて固定接触片１７から離れてスイッチ１８が開になる構造になっている。スイッチ１８が閉から開になった時にカバー３の検出回路が働くようになっている。
【００２３】
さらにコネクタハウジング１は、固定接触片１７の押さえ部１７ｂによるコネクタハウジング１の１つの隅部の押さえの他に、残りの３つの隅部も押さえ金具２２，２３及び２４で回路基板側に押さえられている。押さえ金具２２，２３及び２４は、端子部２２ａ，２３ａ及び２４ａを備えて回路基板のアース部に固定接続されている。押さえ金具２２，２３及び２４には、カバー３が嵌るとこれを弾性的に押さえる弾性接触片２２ｂ，２３ｂ及び２４ｂが設けられている。本例では、これら押さえ金具２２，２３及び２４はアース端子として作用するようになっている。
【００２４】
そして、弾性接触片２２ｂ，２３ｂに対し、カバー３の側板部３ａが、カバー３が閉じられる方向の回動途中、即ちカバー閉鎖前に接触し、カバー３をアース側に接続させるようになっている。
【００２５】
このようなヒンジカバー式メモリカードコネクタでは、ヒンジ１３ａ及び１３ｂでカバー３をコネクタハウジング１に倒してスライドさせることにより、カバー３の検出回路を働かせることができる。特に、カバー３がヒンジ１３ａ及び１３ｂを中心に回動してコネクタハウジング１に閉じられる過程でカバー３に接触してカバー３をアースに接続するアース端子として作用する押さえ金具２２，２３及び２４を設けたので、カバー３を閉じる過程でカバー３が先ずヒンジ１３ａ及び１３ｂに近い側のアース端子として作用する押さえ金具２２及び２３に接触し、カバー３がアースされることになる。このため帯電した使用者の手がカバー３に触れても、静電気が操作子１４で可動接触片１６から固定接触片１７を経てメモリカード４に流れてメモリカード４が電気的に破壊されるのを防止することができる。
【符号の説明】
【００２６】
１ コネクタハウジング
２ 開口部
３ カバー
４ メモリカード
５ 凹部
６ 信号コンタクト
６ａ 接点部
６ｂ 接続端子部
７及び８ 窓
９ａ及び９ｂ アーム
１０ａ及び１０ｂ 回転中心軸
１１ａ及び１１ｂ アーム
１２ａ及び１２ｂ 長孔
１３ａ及び１３ｂ ヒンジ
１４ 操作子
１５ 溝
１６ 可動接触片
１７ 固定接触片
１７ａ 端子部
１７ｂ 押さえ部
１８ スイッチ
１９ コンタクト
１９ａ アース端子部
２２，２３及び２４ 押さえ金具（アース端子）
２２ａ，２３ａ及び２４ａ 端子部
２２ｂ，２３ｂ及び２４ｂ 弾性接触片
【図１】
0005181400.tif 000002
【図２】
0005181400.tif 000003
【図３】
0005181400.tif 000004